(57)【要約】【課題】  表示装置の動きを検出した場合の表示装置の視認性を向上させることができる表示制御装置等を提供する。【解決手段】  電子腕時計の振動を検知していない場合には、時刻表示部４ａのうちの端部を非表示領域とし当該時刻表示部４ａのうちの端部を除く通常表示領域に時刻情報を表示させる（ａ）。電子腕時計の振動を検知した場合、予め定められている時間、時刻表示部４ａの通常表示領域のほかに上下の非表示領域にも時刻情報を表示させる（ｂ）。【選択図】      図７
2008225378.tif 000002
【特許請求の範囲】
【請求項１】
表示画面に数字情報を表示させる表示制御装置において、
振動を検出する振動検出手段と、
この振動検出手段により振動が検出されない際は、前記表示画面のうちの端部を非表示領域とし、当該表示画面のうちの端部を除く通常表示領域に前記数字情報を表示させ、他方、
前記振動検出手段により振動が検出された際は、前記通常表示領域に表示されている数字情報を当該通常表示領域のほかに前記非表示領域にまで前記数字情報を展開して拡大表示させるように前記数字情報の表示形態を制御する表示形態制御手段と、
を備えていることを特徴とする表示制御装置。
【請求項２】
前記表示画面は、前記通常表示領域と前記非表示領域とのマトリクス状のドットで構成されたものであり、
前記ドットごとに表示データを格納する記憶領域を有する記憶手段をさらに備え、
前記表示形態制御手段は、
前記通常表示領域のみに前記数字情報を表示させる場合には、前記通常表示領域を構成するドットに対応した前記記憶手段の記憶領域から表示データを読み出してこの読み出された表示データを前記数字情報として表示させ、他方、
前記通常表示領域のほかに前記非表示領域にまで前記数字情報を展開して拡大表示させる場合には、前記通常表示領域の端部に位置するドットに対応した記憶領域に格納された表示データを、前記非表示領域を構成するドットに対応した記憶領域に複製し、当該複製した表示データを読み出してこの読み出された表示データを前記非表示領域に前記数字情報として表示させる数字表示制御手段を備えていること
を特徴とする請求項１に記載の表示制御装置。
【請求項３】
前記表示形態制御手段は、
前記振動検出手段により振動が検出された際に、前記通常表示領域の上端部ラインに位置するドットに対応した記憶領域に格納された表示データを、前記表示画面の上端部ラインに位置する前記非表示領域を構成するドットに対応した記憶領域に複製すると共に、前記通常表示領域の下端部ラインに位置するドットに対応した記憶領域に格納された表示データを、前記表示画面の下端部ラインに位置する前記非表示領域を構成するドットに対応した記憶領域に複製する複製表示制御手段を備えていること
を特徴とする請求項２に記載の表示制御装置。
【請求項４】
表示装置の表示画面に数字情報を表示させる表示制御装置であって、
振動を検出する振動センサと接続され、当該振動センサで検出されたセンサ信号を入力するセンサ信号入力手段と、
前記表示装置の表示画面のうちの端部を非表示領域とし、当該表示画面のうちの端部を除く通常表示領域に前記数字情報を表示させる通常表示モードと、前記通常表示領域に表示された数字情報を拡大して当該通常表示領域と前記非表示領域との双方に前記数字情報を表示させる拡大表示モードとの間で表示モードを切り換える表示制御手段とを備え、
前記表示制御手段は、前記センサ信号入力手段から入力したセンサ信号に基づいて、前記表示モードを、予め定められている時間だけ前記通常表示モードから前記拡大表示モードに切り換えることを特徴とする表示制御装置。
【請求項５】
前記表示装置は、前記通常表示領域及び前記非表示領域がマトリクス状のドットで構成されたものであり、
前記ドットごとに表示データを格納する記憶領域を有する記憶手段をさらに備え、
前記表示制御手段は、
前記通常表示モードで前記通常表示領域に数字情報を表示させる場合には、前記通常表示領域を構成するドットに対応した前記記憶手段の記憶領域から表示データを読み出してこの読み出された表示データを前記数字情報として表示させ、他方、前記拡大表示モードで前記通常表示領域のほかに前記非表示領域に数字情報を表示させる場合には、前記通常表示領域の端部に位置するドットに対応した記憶領域に格納された表示データを、前記非表示領域を構成するドットに対応した記憶領域に複製し、当該複製した表示データを読み出してこの読み出された表示データを前記非表示領域に前記数字情報として表示させる数字表示制御手段を備えていることを特徴とする請求項３に記載の表示制御装置。
【請求項６】
前記表示制御手段は、
前記振動検出手段により振動が検出された際に、前記通常表示領域の上端部ラインに位置するドットに対応した記憶領域に格納された表示データを、前記表示画面の上端部ラインに位置する前記非表示領域を構成するドットに対応した記憶領域に複製すると共に、前記通常表示領域の下端部ラインに位置するドットに対応した記憶領域に格納された表示データを、前記表示画面の下端部ラインに位置する前記非表示領域を構成するドットに対応した記憶領域に複製する複製表示制御手段を備えていることを特徴とする請求項３に記載の表示制御装置。
【請求項７】
表示画面に数字情報を表示させる表示装置のコンピュータに記憶される表示制御プログラムであって、
振動を検出する振動検出機能と、
この振動検出機能により振動が検出されない際は、前記表示画面のうちの端部を非表示領域とし、当該表示画面のうちの端部を除く通常表示領域に前記数字情報を表示させ、他方、
前記振動検出機能により振動が検出された際は、前記通常表示領域に表示されている数字情報を当該通常表示領域のほかに前記非表示領域にまで前記数字情報を展開して拡大表示させるように前記数字情報の表示形態を制御する表示形態制御機能と
をコンピュータに実現させることを特徴とする表示制御プログラム。
【請求項８】
表示装置の表示画面に数字情報を表示させる表示制御プログラムであって、
振動を検出する振動センサと接続され、当該振動センサで検出されたセンサ信号を入力するセンサ信号入力機能と、
前記表示装置の表示画面のうちの端部を非表示領域とし、当該表示画面のうちの端部を除く通常表示領域に前記数字情報を表示させる通常表示モードと、前記通常表示領域に表示された数字情報を拡大して当該通常表示領域と前記非表示領域との双方に前記数字情報を表示させる拡大表示モードとの間で表示モードを切り換える表示制御機能とをコンピュータに実現させ、
前記表示制御機能は、前記センサ信号入力機能から入力したセンサ信号に基づいて、前記表示モードを、予め定められている時間だけ前記通常表示モードから前記拡大表示モードに切り換える処理を実現させることを特徴とする表示制御プログラム。
【発明の詳細な説明】
【技術分野】
【０００１】
本発明は、表示領域に数字情報を表示するための表示制御装置及び表示制御プログラムに関する。
【背景技術】
【０００２】
従来より、腕時計等の小型の表示領域を備えた表示装置の視認性を向上させる技術としては、下記の特許文献１に記載された電子腕時計が知られている。
【０００３】
この電子腕時計は、表示前面から背後に向かって、時字フィルム、第１のＥＬ素子、液晶表示素子、ＥＬ素子、反射板が配置されている。この電子腕時計は、第１のＥＬ素子が発光することにより時字フィルムの表示内容を視認可能な状態とし、第２のＥＬ素子が発光することにより液晶表示素子の表示内容を視認可能な状態としている。このような電子腕時計は、別個のＥＬ素子によって、時字フィルムと液晶表示素子との表示部分のそれぞれを明るく照らして、双方の表示を視認しやすくしている。
【０００４】
また、従来より、電池の消耗を最小限とするといった目的で、電子腕時計に傾斜スイッチを内蔵し、腕に装着していないときのように傾斜していない又は傾斜が一定である場合には、表示装置の電源をオフとする技術が知られている。この技術によれば、傾斜スイッチによって電子腕時計の傾斜の変化を検知した場合には、電源をオンに切り換えて表示装置のライトを点灯させる。
【特許文献１】特開平９−５４３２２号公報
【発明の開示】
【発明が解決しようとする課題】
【０００５】
上述したように、表示面の視認性を高めるために複数の光源を配置することや、傾斜スイッチによって電子腕時計の傾斜の変化を検知した場合にライトをオンとする技術のように、電子腕時計の視認性を高める要望がある。
【０００６】
そこで、本発明は、上述した実情に鑑みて提案されたものであり、振動を検出した場合における数字の視認性を向上させることができる表示制御装置及び表示制御プログラムを提供することを目的とする。
【課題を解決するための手段】
【０００７】
本発明は、表示画面に数字情報を表示させる表示制御装置において、振動を検出する振動検出手段と、この振動検出手段により振動が検出されない際は、前記表示画面のうちの端部を非表示領域とし、当該表示画面のうちの端部を除く通常表示領域に前記数字情報を表示させ、他方、前記振動検出手段により振動が検出された際は、前記通常表示領域に表示されている数字情報を当該通常表示領域のほかに前記非表示領域にまで前記数字情報を展開して拡大表示させるように前記数字情報の表示形態を制御する表示形態制御手段と、を備えていることを特徴とする。
【０００８】
本発明において、前記表示画面は、前記通常表示領域と前記非表示領域とのマトリクス状のドットで構成されたものであり、前記ドットごとに表示データを格納する記憶領域を有する記憶手段をさらに備え、前記表示形態制御手段は、前記通常表示領域のみに前記数字情報を表示させる場合には、前記通常表示領域を構成するドットに対応した前記記憶手段の記憶領域から表示データを読み出してこの読み出された表示データを前記数字情報として表示させ、他方、前記通常表示領域のほかに前記非表示領域にまで前記数字情報を展開して拡大表示させる場合には、前記通常表示領域の端部に位置するドットに対応した記憶領域に格納された表示データを、前記非表示領域を構成するドットに対応した記憶領域に複製し、当該複製した表示データを読み出してこの読み出された表示データを前記非表示領域に前記数字情報として表示させる数字表示制御手段を備えていることを特徴とする。
【０００９】
本発明において、前記表示形態制御手段は、前記振動検出手段により振動が検出された際に、前記通常表示領域の上端部ラインに位置するドットに対応した記憶領域に格納された表示データを、前記表示画面の上端部ラインに位置する前記非表示領域を構成するドットに対応した記憶領域に複製すると共に、前記通常表示領域の下端部ラインに位置するドットに対応した記憶領域に格納された表示データを、前記表示画面の下端部ラインに位置する前記非表示領域を構成するドットに対応した記憶領域に複製する複製表示制御手段を備えていることを特徴とする。
【００１０】
本発明は、表示装置の表示画面に数字情報を表示させる表示制御装置であって、振動を検出する振動センサと接続され、当該振動センサで検出されたセンサ信号を入力するセンサ信号入力手段と、前記表示装置の表示画面のうちの端部を非表示領域とし、当該表示画面のうちの端部を除く通常表示領域に前記数字情報を表示させる通常表示モードと、前記通常表示領域に表示された数字情報を拡大して当該通常表示領域と前記非表示領域との双方に前記数字情報を表示させる拡大表示モードとの間で表示モードを切り換える表示制御手段とを備え、前記表示制御手段は、前記センサ信号入力手段から入力したセンサ信号に基づいて、前記表示モードを、予め定められている時間だけ前記通常表示モードから前記拡大表示モードに切り換えることを特徴とする。
【００１１】
本発明において、前記表示装置は、前記通常表示領域及び前記非表示領域がマトリクス状のドットで構成されたものであり、前記ドットごとに表示データを格納する記憶領域を有する記憶手段をさらに備え、前記表示制御手段は、前記通常表示モードで前記通常表示領域に数字情報を表示させる場合には、前記通常表示領域を構成するドットに対応した前記記憶手段の記憶領域から表示データを読み出してこの読み出された表示データを前記数字情報として表示させ、他方、前記拡大表示モードで前記通常表示領域のほかに前記非表示領域に数字情報を表示させる場合には、前記通常表示領域の端部に位置するドットに対応した記憶領域に格納された表示データを、前記非表示領域を構成するドットに対応した記憶領域に複製し、当該複製した表示データを読み出してこの読み出された表示データを前記非表示領域に前記数字情報として表示させる数字表示制御手段を備えていることを特徴とする。
【００１２】
本発明において、前記表示制御手段は、前記振動検出手段により振動が検出された際に、前記通常表示領域の上端部ラインに位置するドットに対応した記憶領域に格納された表示データを、前記表示画面の上端部ラインに位置する前記非表示領域を構成するドットに対応した記憶領域に複製すると共に、前記通常表示領域の下端部ラインに位置するドットに対応した記憶領域に格納された表示データを、前記表示画面の下端部ラインに位置する前記非表示領域を構成するドットに対応した記憶領域に複製する複製表示制御手段を備えていることを特徴とする。
【００１３】
本発明は、表示画面に数字情報を表示させる表示装置のコンピュータに記憶される表示制御プログラムであって、振動を検出する振動検出機能と、この振動検出機能により振動が検出されない際は、前記表示画面のうちの端部を非表示領域とし、当該表示画面のうちの端部を除く通常表示領域に前記数字情報を表示させ、他方、前記振動検出機能により振動が検出された際は、前記通常表示領域に表示されている数字情報を当該通常表示領域のほかに前記非表示領域にまで前記数字情報を展開して拡大表示させるように前記数字情報の表示形態を制御する表示形態制御機能とをコンピュータに実現させることを特徴とする。
【００１４】
本発明は、表示装置の表示画面に数字情報を表示させる表示制御プログラムであって、振動を検出する振動センサと接続され、当該振動センサで検出されたセンサ信号を入力するセンサ信号入力機能と、前記表示装置の表示画面のうちの端部を非表示領域とし、当該表示画面のうちの端部を除く通常表示領域に前記数字情報を表示させる通常表示モードと、前記通常表示領域に表示された数字情報を拡大して当該通常表示領域と前記非表示領域との双方に前記数字情報を表示させる拡大表示モードとの間で表示モードを切り換える表示制御機能とをコンピュータに実現させ、前記表示制御機能は、前記センサ信号入力機能から入力したセンサ信号に基づいて、前記表示モードを、予め定められている時間だけ前記通常表示モードから前記拡大表示モードに切り換える処理を実現させることを特徴とする。
【発明の効果】
【００１５】
本発明に係る表示制御装置及び表示制御プログラムによれば、振動検出手段により振動が検出されない際は、表示画面のうちの端部を非表示領域とし、当該表示画面のうちの端部を除く通常表示領域に数字情報を表示させ、他方、振動検出手段により振動が検出された際は、通常表示領域に表示されている数字情報を当該通常表示領域のほかに非表示領域にまで数字情報を展開して拡大表示させるように数字情報の表示形態を確実かつ容易に制御することができる。
【００１６】
また、本発明に係る表示制御装置及び表示制御プログラムによれば、振動を検出する振動センサで検出されたセンサ信号に基づいて、表示モードを、予め定められている時間だけ、通常表示モードから拡大表示モードに切り換えることができる。
【００１７】
このため、振動を検出した場合の数字の視認性を大幅に向上させることができる。
【発明を実施するための最良の形態】
【００１８】
以下、本発明の実施の形態について図面を参照して説明する。
【００１９】
本発明を適用した表示制御装置及び表示制御プログラムは、図１に示すような電子腕時計に内蔵されて構成される。この電子腕時計は、表示本体部１の上下端部にバンド取付部２を介してバンド（図示せず）が取り付けられてユーザの腕に装着可能となる。表示本体部１の側面には、ユーザが各種操作をするための複数の操作スイッチ３が設けられている。この操作スイッチ３の操作により、電子腕時計は、時刻の調整、表示輝度の調整などを行う。
【００２０】
表示本体部１の前面には、表示装置の表示画面４が設けられている。この表示画面４は、時刻表示部４ａと設定表示部４ｂと日・秒表示部４ｃとに区分されている。時刻表示部４ａは、ドット形式の表示機構で構成されている。この表示機構が駆動されることにより、時刻表示部４ａは、時間、分の時刻情報が表示される。設定表示部４ｂには、アラーム設定状態のオン・オフ等の現在の設定状態を示すアイコンが表示される。日・秒表示部４ｃには、現在の日付・曜日がセグメント表示される。
【００２１】
このセグメント表示形式は、７個のセグメントのそれぞれを表示又は非表示にすることにより、数字又はアルファベットの１つの文字を表示する表示形式である。一方、ドット表示形式は、表示領域を複数のマトリクスに分割して各ドットを表示又は非表示とすることにより、数字又はアルファベット、各種情報を表示する表示形式である。
【００２２】
電子腕時計の表示装置は、ドット表示形式で時刻情報を表示する時刻表示部４ａ、アイコンを表示する設定表示部４ｂ、セグメント表示形式で日付・曜日・秒を表示する日・秒表示部４ｃからなる表示画面と、当該表示画面の表示内容を制御する表示制御装置からなる。この表示制御装置は、主として、図示しない水晶振動子からの信号に基づいて、時刻表示部４ａに現在の時刻情報を表示する。表示制御装置は、後述するプログラム用のＲＯＭを備える。このＲＯＭに記録される表示制御プログラムは、表示制御装置であるコンピュータに各種の機能を実現させるプログラムデータである。
【００２３】
このような電子腕時計の表示制御装置は、図７に示すように、時刻情報を切り換えて表示する。図７（ａ）に示すように、時刻表示部４ａに時刻情報を表示している場合に振動を検出した時には、図７（ｂ）に示すように時刻表示部４ａに表示する数字である時刻情報を拡大（ズーム）する。図７（ｂ）に示すように時刻情報を拡大する時間は、予め設定されている所定時間であり、本例では２秒である。図７（ｂ）に示す拡大した時刻情報を表示して２秒経過した後、時刻表示部４ａの時刻情報は、図７（ｃ）に示すように、図７（ａ）と同様の大きさで表示される。以下、図７（ａ）、（ｃ）に示すような表示モードを「通常表示モード」と呼び、図７（ｂ）に示すような表示モードを「拡大表示モード」と呼ぶ。
【００２４】
時刻表示部４ａは、図３に示すように、縦方向にＹ０〜Ｙ６の７個のドットを有し、横方向にＸ０〜Ｘ１８の１９個のドットを有しているマトリクス状となっている。ドットＹ１〜Ｙ５が左端の横方向のラインからなる領域は、通常表示領域１１として時刻情報が表示される。ドットＹ６，Ｙ０が左端の横方向のラインからなる領域は、通常表示領域１１以外の非表示領域１２Ａ，１２Ｂである。通常表示モードにおいては、通常表示領域１１に含まれるドット（通常表示ドット１３）のみで時刻情報を表示し、非表示領域１２Ａ，１２Ｂは時刻情報の表示に使用しない。なお、以下の説明では、例えば「ドット（Ｘ０，Ｙ５）」が左端で横方向に並ぶ複数のドットを「ドットＹ５ライン」と呼ぶ。
【００２５】
拡大表示モードにおいては、図４に示すように、通常表示領域１１における下端部に位置するドットＹ１ラインの通常表示ドット１３を、時刻表示部４ａにおける下端部に位置するドットＹ０ラインである非表示領域１２Ｂに複製する。また、拡大表示モードにおいては、通常表示領域１１における上端部に位置するドットＹ５ラインの通常表示ドット１３を、時刻表示部４ａにおける上端部に位置するドットＹ６ラインである非表示領域１２Ａに複製する。これにより、時刻表示部４ａの上端部及び下端部には、拡大時表示ドット１４が表示される。
【００２６】
図７及び図３を参照して説明した通常表示モードと拡大表示モードとの間で表示モードを切り換える表示装置は、図２に示すように構成される。
【００２７】
この表示装置は、表示制御手段に相当するＣＰＵ（Central Processing Unit）２１に、ドット表示部２２と、作業用のＲＡＭ（Random Access Memory）（記憶手段）２３と、ＲＯＭ（Read Only Memory）２４と、傾斜スイッチ（振動センサ）２５と、キー入力部２６と、計時部２７とが接続されている。
【００２８】
ドット表示部２２は、上述した時刻表示部４ａに時刻情報を表示する液晶表示素子等の表示機構からなる。このドット表示部２２は、上述した構成と同様に、縦７ドット×横１９ドットからなるマトリクス型となっている。
【００２９】
ＲＡＭ２３は、ドット表示部２２に時刻情報を表示させるための表示データを記憶している。このＲＡＭ２３は、図５に示すように、全記憶領域を、ドット表示部２２の各ドットに対応した記憶領域に区分されて構成されている。各ドットに対応した各記憶領域には、各ドットに表示される表示データが格納される。この表示データは、例えば、各ドットを白又は黒の２色表示させる場合には、白又は黒を示す属性値である。
【００３０】
図５に示すように、ＲＡＭ２３は、記憶領域（work area:WK）が１６進数形式で管理されている。すなわち、ＲＡＭ２３は、縦１６エリア×横１６エリアの記憶領域に区分されている。
【００３１】
ＲＡＭ２３には、通常表示領域１１の上端部であるドットＹ５ラインであるの表示データが格納される記憶領域３１（以下、通常時上端表示用記憶領域３１と呼ぶ。）と、通常表示領域１１の下端部であるドットＹ１ラインの表示データが格納される記憶領域３２（以下、通常時下端表示用記憶領域３２と呼ぶ。）とが設定されている。なお、図５においては、通常表示領域１１に含まれるドットＹ４〜Ｙ２ラインに対応した記憶領域の図示は省略している。また、ＲＡＭ２３には、非表示領域１２ＡのドットＹ６ラインの表示データが格納される記憶領域３３（以下、拡大時上端表示用記憶領域３３と呼ぶ。）と、非表示領域１２ＢのドットＹ０ラインの表示データが格納される記憶領域３４（以下、拡大時下端表示用記憶領域３４と呼ぶ。）とが設定されている。
【００３２】
ＲＯＭ２４には、ＣＰＵ２１（コンピュータ）が処理を行うための表示制御プログラムが記憶されている。この表示制御プログラムは、ＣＰＵ２１が上述したように表示モードを通常表示モード又は拡大表示モードにする処理手順を規定している。
【００３３】
傾斜スイッチ２５は、ドット表示部２２を含む表示装置の傾斜を検出するものである。表示装置の傾きが予め定められている角度以上に変化した場合、傾斜スイッチ２５は、その変化を示すセンサ信号をＣＰＵ２１に供給する。これにより、傾斜スイッチ２５は、電子腕時計に振動が発生したことを検知する。ＣＰＵ２１は、傾斜スイッチ２５との接続点に入力インターフェースを有する。この入力インターフェースは、センサ信号入力手段として機能する。
【００３４】
また、傾斜スイッチ２５は、常に電子腕時計の傾きの変化をセンサ信号としてＣＰＵ２１に出力するものとし、ＣＰＵ２１は、電子腕時計のセンサ信号を監視して電子腕時計が振動したことを検出する。
【００３５】
傾斜スイッチ２５によってセンサ信号をＣＰＵ２１に供給する傾斜角度は、例えばユーザが電子腕時計を腕に装着した時に、当該電子腕時計の表示画面４を見るための仕草によって電子腕時計が振動した状態が検知できる角度に設定されている。ＣＰＵ２１によって表示装置の振動を判断する場合、所定角度は、電子腕時計の設計時の実験等によって予めＣＰＵ２１の内部メモリやＲＯＭ２４に格納されている。
【００３６】
キー入力部２６は、操作スイッチ３の操作を検知する。操作スイッチ３が押圧操作されたことを検知した場合、キー入力部２６は、ＣＰＵ２１に操作スイッチ３の操作信号を供給する。操作スイッチ３の操作信号を入力した場合、ＣＰＵ２１は、操作信号に基づいて設定変更、時刻修正等の動作を行う。
【００３７】
計時部２７は、水晶振動子等からなり、所定時間ごとに計時信号をＣＰＵ２１に供給する。ＣＰＵ２１は、計時信号に基づいて、ドット表示部２２に表示させる時刻情報，日・秒表示部４ｃに表示する秒表示を更新する。
【００３８】
ＣＰＵ２１は、ＲＯＭ２４に記憶されている表示制御プログラムに従って、ＲＡＭ２３に記憶されている表示データを更新することにより、ドット表示部２２に表示させる内容を制御する。ＣＰＵ２１は、傾斜スイッチ２５からのセンサ信号に基づいて、ドット表示部２２の表示モードを通常表示モードと拡大表示モードとの間で切り換えることにより、時刻情報の視認性を高める処理を行う。
【００３９】
ＣＰＵ２１は、カウンタ部２１ａを備える。カウンタ部２１ａは、上述したように、傾斜スイッチ２５からのセンサ信号に基づく表示装置の振動によって時刻情報の表示モードが通常表示モードから拡大表示モードに切り換えられた時に、カウント動作を開始する。このカウント動作は、計時部２７からの計時信号に従ってカウンタ値をインクリメントしていく。このカウンタ値は、ＣＰＵ２１によって監視される。ＣＰＵ２１は、カウンタ値が所定時間となった場合に、時刻情報の表示モードを拡大表示モードから通常表示モードに戻す制御を行う。
【００４０】
つぎに、上述したように構成された表示装置の動作について、図６のフローチャートを参照して説明する。なお、この表示装置の動作は、表示制御手段であるＣＰＵ２１がＲＯＭ２４に格納された表示制御プログラムを実行することによって実現されるものである。
【００４１】
ＣＰＵ２１は、傾斜スイッチ２５からのセンサ信号に基づいて表示装置の振動を検知していない場合には、図７（ａ）及び図３に示すように、通常表示モードで通常表示領域１１に時刻情報を表示する。このとき、ＣＰＵ２１は、ステップＳ１において計時部２７からの計時信号を入力して現在の時刻を認識する計時処理を行い、ステップＳ２において、計時処理によって認識している現在の時刻情報に従ってＲＡＭ２３内の通常時上端表示用記憶領域３１、通常時下端表示用記憶領域３２を含む記憶領域に格納される表示データを更新する。
【００４２】
そして、通常表示モードで通常表示領域１１に時刻情報を表示させている時に、ＣＰＵ２１は、所定時間ごとに傾斜スイッチ２５からのセンサ信号によって表示装置が振動したか否かを判定する。本例においては、傾斜スイッチ２５によって表示装置の所定角度に亘る傾斜角度の変化を検出してセンサ信号をオンにした時、ＣＰＵ２１は、センサ信号がオンとなったことを検知して、ステップＳ４に処理を進める。
【００４３】
ステップＳ４においては、ＣＰＵ２１によって、拡大表示モード（ズームモード）で時刻情報を表示する所定時間として２秒を設定し、カウンタ部２１ａによるカウントを開始させる。
【００４４】
ステップＳ５においては、ＣＰＵ２１によって、時刻情報の表示モードを通常表示モードから拡大表示モードに切り換えるために、ＲＡＭ２３の表示データを更新する。すなわち、ＣＰＵ２１は、通常時上端表示用記憶領域３１に格納させている表示データを、拡大時上端表示用記憶領域３３に複製としてのコピーを行うと共に、通常時下端表示用記憶領域３２に格納させている表示データを、拡大時下端表示用記憶領域３４に複製する。
【００４５】
ステップＳ６においては、ＣＰＵ２１によって、ステップＳ５において複製した拡大時上端表示用記憶領域３３の表示データ、拡大時下端表示用記憶領域３４の表示データ、通常表示領域１１に対応した記憶領域に格納された表示データを読み出して、ドット表示部２２に出力する。これにより、ドット表示部２２の表示形態は、図７（ａ）及び図３に示す通常表示領域１１のみで時刻情報を表示する表示形態から、通常表示領域１１、非表示領域１２Ａ及び非表示領域１２Ｂからなる表示領域で時刻情報を表示する表示形態に切り替わる。これによって、図７（ｂ）及び図４に示すように、時刻情報の表示モードを拡大表示モードとする。
【００４６】
ステップＳ７においては、ＣＰＵ２１によって、ステップＳ４でカウントを開始したカウンタ部２１ａのカウンタ値が２秒に相当するカウンタ値となっているか否かを判定する。カウンタ値が２秒に相当するカウンタ値とはなっていない場合には、拡大表示モードで時刻情報を表示している状態を継続する。一方、カウンタ値が２秒に相当するカウンタ値となった場合には、ステップＳ７に処理を進める。
【００４７】
ステップＳ８においては、ＣＰＵ２１によって、ＲＡＭ２３の拡大時上端表示用記憶領域３３及び拡大時下端表示用記憶領域３４に格納されている表示データをクリアする。次に、ＣＰＵ２１は、通常時上端表示用記憶領域３１及び通常時下端表示用記憶領域３２を含む通常表示領域１１に対応するドットの記憶領域から表示データを読み出して、ドット表示部２２に表示する。これにより、ドット表示部２２の表示形態は、図７（ｂ）及び図４に示す拡大表示モードの表示形態から、図７（ｃ）及び図３に示す通常表示モードの表示形態に切り換えられる。
【００４８】
以上詳細に説明したように、本発明を適用した電子腕時計によれば、時刻情報を表示する領域のうちの端部を非表示領域１２Ａ，１２Ｂとし、当該時刻情報を表示する領域のうちの端部を除く通常表示領域１１に時刻情報を表示させる通常表示モードと、通常表示領域１１に表示された時刻情報を拡大して当該通常表示領域１１及び非表示領域１２Ａ，１２Ｂに時刻情報を表示させる拡大表示モードとの間で表示モードを切り換える。この切り換えトリガは、傾斜スイッチ２５からのセンサ信号に基づいて振動が発生した場合である。この場合、ＣＰＵ２１は、表示モードを、所定時間だけ通常表示モードから拡大表示モードに切り換えることにより、例えばユーザが時刻表示部４ａを見るための仕草をした時に、拡大した数字である時刻情報を表示することができる。従って、この電子腕時計によれば、ユーザが時刻を確認する仕草をした時やユーザが運動している時など、動いた時の時刻表示部４ａの視認性を向上させることができる。
【００４９】
なお、表示装置の振動を検知した時に、表示している情報を拡大する動作は、現在の動作モードを確認して、時刻表示部４ａに各種設定を行うための表示をしている時以外であって、現在の時刻情報を表示している時のみに行うことが望ましい。
【００５０】
更に、ＣＰＵ２１は、表示装置の振動を検出した時に、通常表示領域１１の端部に位置するドットに対応した記憶領域に格納された表示データを非表示領域１２Ａ，１２Ｂを構成するドットに対応した記憶領域に複製するだけで、当該複製した表示データを読み出して非表示領域１２Ａ，１２Ｂに時刻情報を表示させることができる。これにより、通常表示用のフォントに加えて、拡大表示用のフォントを記憶することなく、拡大表示を実現でき、予め記憶しておくフォント数を増やす必要がない。
【００５１】
特に、通常表示領域１１の上端部に表示を行うための表示データを非表示領域１２Ａに複製すると共に、通常表示領域１１の下端部に表示を行うための表示データを非表示領域１２Ｂに複製するだけで、拡大表示ができる。これにより、時刻情報といった数字のみならず、アルファベットで各種情報を表示している場合であっても、簡単な処理で拡大表示を実現できる。
【００５２】
更に、この電子腕時計によれば、振動を検知した時に拡大表示をすることによって、表示内容を楽しむという効果をも発揮できる。
【００５３】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【００５４】
すなわち、上述した実施の形態は、電子腕時計に本発明に係る表示制御装置、表示制御プログラムを適用した場合について説明した。しかし、これに限らず、その他の電子機器、例えば電子手帳、携帯電話等の表示装置にも広く適用できる。
【図面の簡単な説明】
【００５５】
【図１】本発明を適用した表示制御装置を内蔵した電子腕時計の外観構成を示す正面図である。
【図２】本発明を適用した表示制御装置を含む表示装置の構成を機能的に示すブロック図である。
【図３】本発明を適用した表示制御装置により表示された通常表示モード時の時刻情報の正面図である。
【図４】本発明を適用した表示制御装置により表示された拡大表示モード時の時刻情報の正面図である。
【図５】本発明を適用した表示制御装置によって書き換えられるＲＡＭの構成を示す図である。
【図６】本発明を適用した表示制御装置によって振動の検知に基づいて時刻情報を通常表示モードと拡大表示モードとの間で切り換える処理を説明するフローチャートである。
【図７】本発明を適用した表示制御装置により切り換えられる時刻情報の遷移を説明する図であり、（ａ）は通常表示モード、（ｂ）は拡大表示モード、（ｃ）は通常表示モードである。
【符号の説明】
【００５６】
１  表示本体部
２  バンド取付部
３  操作スイッチ
４  表示画面
４ａ  時刻表示部
４ｂ  設定表示部
４ｃ  日・秒表示部
１１  通常表示領域
１２Ａ，１２Ｂ  非表示領域
１３  通常表示ドット
１４  拡大時表示ドット
２１  ＣＰＵ
２１ａ  カウンタ部
２２  ドット表示部
２３  ＲＡＭ
２４  ＲＯＭ
２５  傾斜スイッチ
２６  キー入力部
２７  計時部
３１  通常時上端表示用記憶領域
３２  通常時下端表示用記憶領域
３３  拡大時上端表示用記憶領域
３４  拡大時下端表示用記憶領域
【図１】
2008225378.tif 000003
【図２】
2008225378.tif 000004
【図３】
2008225378.tif 000005
【図４】
2008225378.tif 000006
【図５】
2008225378.tif 000007
【図６】
2008225378.tif 000008
【図７】
2008225378.tif 000009